(57)【要約】【課題】球抜き作動時に遊技球による通路詰まりを回避できる遊技機の遊技球払出装置の提供。【解決手段】パチンコ遊技機の遊技球払出装置は、入賞に応じて所定の回転数だけ回転し供給側通路１ａからの遊技球Ｂを払出側通路２ａへ所定数払い出し可能な払出ロータ４０と、供給側通路１ａからの遊技球Ｂを陥落口５ａを介して排除する球抜き用通路６ａと、供給側通路１ａのうち陥落口５ａの直前で遊技球Ｂを両溝縁部Ｅ１，Ｅ１に跨らせて溝長さ方向に沿って転がして陥落口５ａ側へ送る球案内溝７ａと、下位置と上位置との間で通路方向に沿ってスライド変位可能であって、下位置では陥落口５ａを閉鎖すると共に球案内溝７ａからの遊技球Ｂを受け載せて入口４ａへ送り届け、上位置では球案内溝７ａの溝長さ方向へ収容されて陥落口５ａを開放する球通路橋８ａを備えている。【選択図】      図１
2012024429.tif 000002
【特許請求の範囲】
【請求項１】
入賞に応じて所定の回転数だけ回転し供給側通路からの遊技球を下流の払出側通路へ所定数払い出し可能な払出ロータと、前記供給側通路からの前記遊技球を前記払出側通路の入口の前にある陥落口を介して排除する球抜き用通路と、前記供給側通路で前記陥落口の前で前記遊技球を両溝縁に跨らせて溝長さ方向に沿って転がして前記陥落口側へ送る球案内溝と、第１位置と第２位置との間でスライド変位可能であって、第１位置では前記陥落口を閉鎖すると共に前記球案内溝からの前記遊技球を受け載せて前記入口へ送り届け、第２位置では前記球案内溝の溝長さ方向へ収容されて前記陥落口を開放する球通路橋を備えて成ることを特徴とする遊技機の遊技球払出装置。
【請求項２】
請求項１に記載の遊技機の遊技球払出装置において、相平行する２条の前記球通路橋を備えて滑動可能な球通路橋ユニットを有することを特徴とする遊技機の遊技球払出装置。
【発明の詳細な説明】
【技術分野】
【０００１】
本発明は、供給側通路からの遊技球を下流側の払出側通路へ所定数払い出し可能な払出ロータを備えた遊技機の遊技球払出装置に関する。
【背景技術】
【０００２】
特許文献１に開示のパチンコ遊技機の遊技球払出装置は、入賞に応じて所定の回転数だけ回転し供給側通路からの遊技球を下流側の払出側通路へ所定数払い出し可能な払出ロータと、払出側通路の途中から分岐した球抜き用通路とを備え、払出側通路と球抜き用通路との分岐点に球抜き機構が配置されている。この球抜き機構は分岐点に設けられた揺動可能な球抜き切替弁を有し、この球抜き切替弁のノーマル位置では球抜き用通路の入口を覆って閉鎖しているので、払出ロータからの遊技球が払出側通路の下流へ導かれるようになっており、一方、球抜き切替弁の球抜き位置では球抜き切替弁の先端側が払出側通路の対向壁面へ差し渡されるので、払出ロータからの遊技球が球抜き切替弁に遮られて球抜き通路へ案内されるようになっている。
【先行技術文献】
【特許文献】
【０００３】
【特許文献１】特開２０００−２１０４４８号公報（図３）
【発明の概要】
【発明が解決しようとする課題】
【０００４】
しかしながら、上記のパチンコ遊技機の遊技球払出装置においては、払出ロータから到来する遊技球のタイミングによっては、球抜き切替弁が払出側通路の対向壁面との間に到来した遊技球を瞬間的にも挟み込み易く、後続の遊技球が分岐点に滞留して通路を詰まらせる故障（ブリッジ）ともなり、球抜き作動の信頼性を却って損ねる原因となっていた。
【０００５】
そこで、本発明の課題は上記問題点に鑑み、球抜き作動時に遊技球による通路詰まりを回避できる構造を備えた遊技機の遊技球払出装置を提供することにある。
【課題を解決するための手段】
【０００６】
上記課題を解決するため、本発明に係る遊技機の遊技球払出装置は、入賞に応じて所定の回転数だけ回転し供給側通路からの遊技球を下流側の払出側通路へ所定数払い出し可能な払出ロータと、供給側通路からの遊技球を払出側通路の入口よりも前にある陥落口を介して排除する球抜き用通路と、供給側通路で陥落口の前で遊技球を両溝縁部に跨らせて溝長さ方向に沿って転がして陥落口側へ送る球案内溝と、第１位置と第２位置との間で通路方向に沿ってスライド変位可能であって、第１位置では陥落口を閉鎖すると共に球案内溝からの遊技球を受け載せて上記入口へ送り届け、第２位置では球案内溝の溝長さ方向へ収容されて陥落口を開放する球通路橋を備えて成ることを特徴とする。
【０００７】
ノーマル時は第１位置にある球通路橋が陥落口を閉鎖しているため、供給側通路の両溝縁部に跨って球案内溝を流れ下った遊技球は球通路橋上を転動して払出側通路の入口へ向かい、払出側通路へ導かれる。球抜き時では球通路橋が第２位置へスライド変位して球案内溝の溝長さ方向へ収容されるため、陥落口が開放状態となり、球案内溝を流下する遊技球は陥落口へ落ち込み、球抜き用通路へ導かれる。
【０００８】
このように、本発明では、球通路橋をスライド変位で球案内溝側に対し抜き差しすることで、陥落口の閉鎖・開放を切り替えることができる。球抜き時において、遊技球が球通路橋上に載っている状態で球通路橋が球案内溝側へ収納されるときは、球通路橋が遊技球を拘束せず、その遊技球は通路を自然に下るだけであるから、タイミングによっては払出側通路の入口へ向うか、陥落口へ落ち込むかのいずれかであるので、遊技球を挟み込むことがなく、通路詰まりを抑制できる。
【０００９】
また、可動体としての球通路橋は通路幅方向ではなく通路長さ方向へスライド変位するため、一般に遊技機の通路幅は一定寸法に限定されている条件下においても、球案内溝の溝幅は遊技球の直径近くにまで設定でき、それ故、この球案内溝に対し溝長さ方向から収納される球通路橋の通路幅も遊技球の直径近く幅広に設定できるので、球通路橋の強度を確保でき、払出装置の耐久性を高めることができる。
【００１０】
そして、滑動可能な球通路橋ユニットが相平行する２条の球通路橋を備えている場合、
遊技球払出装置を２通路平行で構成することができ、球抜き動作の短時間化に資する。
【発明の効果】
【００１１】
本発明によれば、球通路橋がスライド変位で球案内溝に対し抜き差し可能であるため、遊技球を挟み込まないので、球抜き作動時に到来する遊技球による通路詰まりを回避できる。
【図面の簡単な説明】
【００１２】
【図１】（Ａ）は本発明の一実施例に係るパチンコ遊技機の遊技球払出装置を片側ケースを外した状態のノーマル時を示す斜視図、（Ｂ）はその状態の球抜き時を示す斜視図である。
【図２】（Ａ）は本発明の一実施例に係るパチンコ遊技機の遊技球払出装置を片側ケースを外した状態のノーマル時を示す正面図、（Ｂ）はその状態の球抜き時を示す正面図である。
【図３】（Ａ）は本発明の一実施例に係るパチンコ遊技機の遊技球払出装置の内部構造のノーマル時を示す斜視図、（Ｂ）はその平面図である。
【図４】（Ａ）は本発明の一実施例に係るパチンコ遊技機の遊技球払出装置の内部構造の球抜き時を示す斜視図、（Ｂ）はその平面図である。
【図５】同遊技球払出装置の組立斜視図である。
【発明を実施するための形態】
【００１３】
次に、本発明の実施形態を添付図面に基づいて説明する。本例のパチンコ遊技機の遊技球払出装置は２通路平行で構成されているが、まず図１〜図４に基づいて第１通路に限って説明すると、入賞に応じて所定の回転数だけ回転し下り勾配の供給側通路１ａからの遊技球Ｂを通路天井側の掻き出し爪Ｋ１で下流側の払出側通路２ａへ所定数払い出し可能な払出ロータ４０と、供給側通路１ａからの遊技球Ｂを払出側通路２ａの入口４ａの直前にある陥落口５ａを介してほぼ真下へ排除する球抜き用通路６ａと、供給側通路１ａのうち陥落口５ａの直前で遊技球Ｂを両溝縁部Ｅ１，Ｅ１に跨らせて溝長さ方向に沿って転がして陥落口５ａ側へ送る球案内溝７ａと、下位置と上位置との間で通路方向に沿ってスライド変位可能であって、下位置では陥落口５ａを閉鎖すると共に球案内溝７ａからの遊技球Ｂを受け載せて入口４ａへ送り届け、上位置では球案内溝７ａの溝長さ方向へ収容されて陥落口５ａを開放する球通路橋８ａとを備えている。
【００１４】
本遊技球払出装置の部品構成は、図５に示す如く、支軸Ｊが差し込まれる円筒状の軸受部１１並びに球通過センサユニットＳ２，Ｓ１が差し込まれるセンサユニット挟持部１２を前面側に有すると共に、支軸Ｊに装着される従動ギアＧ２に噛み合う原動ギアＧ１を持つモータＭ及び所要の電子部品を搭載する回路基板Ｐを背面側に有する樹脂製の本体ケース１０と、この本体ケース１０の背面側をネジｂ１で止めて覆う樹脂製の裏蓋ケース２０と、本体ケース１０の前面側に嵌め込み固定される通路分離部材３０と、通路分離部材３０の円筒状の払出ロータハウジング３０ａに挿入され、従動ギアＧ２の回転軸Ｓが中心孔ｈで噛み合い、２連の掻き出し爪Ｋ１，Ｋ２を持つ払出ロータ４０と、中心孔ｈの孔端に装着する軸受５０と、相平行する２条の球通路橋８ａ，８ｂを備えて本体ケース１０の下壁１３の内側に滑動可能な球通路橋ユニット６０と、この通路橋ユニット６０の操作摘み６１が突出する操作窓７１を持つと共に球通過センサユニットＳ１の端が嵌め込まれるセンサユニット受け部７２を有し、本体ケース１０の前面側をネジｂ２で止めて覆う樹脂製の表蓋ケース７０とを備えている。センサユニットＳ１には通過孔として払出側通路２ａの入口４ａが形成され、同じくセンサユニットＳ２には通過孔として払出側通路（図示せず）の入口４ｂが形成されている。
【００１５】
本体ケース１０は、図５に示す如く、第２通路の供給側通路１ｂの溝縁部Ｅ２を一体的に備え、下壁１３とセンサユニット挟持部１２との間に陥落口５ａ，５ｂを形成する陥落用開口部１４を持ち、更に、センサユニット挟持部１２の開口部１４とは反対側に払出用通路２ａを有している。また、本体ケース１０には球通路橋ユニット６０をスライド変位するための案内溝１５が形成されている。そして、本体ケース１０に通路分離部材３０を組み込むことにより、球案内溝７ｂを両側に溝縁部Ｅ２，Ｅ２を備えた第２通路の供給側通路１ｂが形成されると共に、陥落用開口部１４が陥落口５ａ，５ｂに分離される。また、表蓋ケース７０を組み込むことにより、球案内溝７ａを両側に溝縁部Ｅ１，Ｅ１を備えた第１通路の供給側通路１ａが形成される。
【００１６】
図１（Ａ），図２（Ａ），図３はノーマル時の状態を示す。球通路橋ユニット６０が下位置にあり、陥落口５ａ（５ｂ）を閉鎖すると同時に球通路橋８ａ（８ｂ）が球案内溝７ａ（７ｂ）の終わりから払出側通路の入口４ａ（４ｂ）へ差し渡されているため、供給側通路１ａ（１ｂ）の球案内溝７ａ（７ｂ）の両縁部Ｅ１，Ｅ１（Ｅ２，Ｅ２）に跨って転がり下った遊技球Ｂは球通路橋８ａ（８ｂ）上に乗り移り引き続き転動して払出側通路の入口４ａ（４ｂ）へ向かい、払出側通路２ａへ導かれる。
【００１７】
図１（Ｂ），図２（Ｂ），図４は球抜き時の状態を示す。球通路橋ユニット６０が通路の上位置へスライド変位する。即ち、球通路橋８ａ（８ｂ）が球案内溝７ａ（７ｂ）の溝長さ方向へ変位し、球案内溝７ａ（７ｂ）側に収められるため、陥落口５ａ（５ｂ）が開放状態となり、供給側通路１ａ（１ｂ）の球案内溝７ａ（７ｂ）の両縁部Ｅ１，Ｅ１（Ｅ２，Ｅ２）に跨って転がる遊技球Ｂは陥落口５ａ（５ｂ）へ落ち込み、球抜き用通路６ａへ導かれる。
【００１８】
このように、本例では、球通路橋ユニット６０をスライド変位で球通路橋８ａ（８ｂ）を球案内溝７ａ（７ｂ）に対し抜き差しすることで、陥落口５ａ（５ｂ）の閉鎖・開放を切替ることができる。球抜き時、遊技球Ｂが球通路橋８ａ（８ｂ）上に載っている場合に球通路橋８ａ（８ｂ）が球案内溝７ａ（７ｂ）側へ収納されるときは、球通路橋８ａ（８ｂ）がその遊技球Ｂを路壁との間で挟み込むことはなく、その遊技球Ｂは通路を下るだけであるから、遊技球Ｂが払出側通路の入口４ａ（４ｂ）へ向うか、陥落口５ａ（５ｂ）へ落ち込むかのいずれかであるので、球通路橋ユニット６０が遊技球Ｂを挟み込むことがなく、通路詰まりを抑制できる。
【００１９】
また、可動体としての球通路橋ユニット６０は通路幅方向ではなく通路長さ方向へスライド変位するため、一般に遊技機の通路幅は所定寸法に限定されている条件下においても、球案内溝７ａ（７ｂ）の溝幅は遊技球Ｂの直径近くにまで設定でき、それ故、この球案内溝７ａ（７ｂ）に溝長さ方向に収容される球通路橋８ａ（８ｂ）の通路幅も遊技球Ｂの直径近く幅広に設定できるので、球通路橋８ａ（８ｂ）の強度を確保でき、払出装置の耐久性を高めることができる。
【００２０】
本例では、滑動可能な球通路橋ユニット６０が相平行する２条の球通路橋８ａ，８ｂを備ており、遊技球払出装置を２通路平行で構成することができ、球抜き動作の短時間化に資する。そして、２条の球通路橋８ａ，８ｂは球通路橋ユニット６０の下側にも巡っているため、そり状に滑動容易である。
【符号の説明】
【００２１】
１ａ，１ｂ…供給側通路
２ａ…払出側通路
４ａ，４ｂ…入口
５ａ，５ｂ…陥落口
６ａ…球抜き用通路
７ａ，７ｂ…球案内溝
８ａ，８ｂ…球通路橋
１１…軸受部
１０…本体ケース
１２…センサユニット挟持部
１３…下壁
１４…陥落用開口部
１５…案内溝
２０…裏蓋ケース
３０…通路分離部材
３０ａ…払出ロータハウジング
４０…払出ロータ
５０…軸受
６０…球通路橋ユニット
６１…操作摘み
７０…表蓋ケース
７１…操作窓
７２…センサユニット受け部
Ｂ…遊技球
ｂ１，ｂ２…ネジ
Ｅ１，Ｅ２…溝縁部
Ｇ１…原動ギア
Ｇ２…従動ギア
ｈ…中心孔
Ｊ…支軸
Ｋ１，Ｋ２…掻き出し爪
Ｍ…モータ
Ｐ…回路基板
Ｓ…回転軸
Ｓ１，Ｓ２…球通過センサユニット
【図１】
2012024429.tif 000003
【図２】
2012024429.tif 000004
【図３】
2012024429.tif 000005
【図４】
2012024429.tif 000006
【図５】
2012024429.tif 000007